(57)【要約】      （修正有）【課題】温度や湿度のいろいろな環境条件下でも、安定した混練時の流動性を高めるとともに圧縮強度を増したり、健康や還元効果が得られるセメント添加剤を提供する。【解決手段】シリカサンドと石灰石と磁性細菌土の乾燥粉末とアルミニューム粉末を混ぜて入れた水溶性の紙袋入りのセメント添加剤１２に、３２〜３８テラヘルツの周波数の共鳴電磁波１６を、２時間以上、２０℃以上の温度条件下で照射し、シリカサンドと石灰石と磁性細菌土の乾燥粉末とアルミニューム粉末の入った水溶性紙袋入りのセメント添加剤を、コンクリート混練用水１１に投入し、混練用水自体を当該電磁波の転写放射体とし、コンクリート混練することができる。【選択図】図２
0003227374.tif 000002
【実用新案登録請求の範囲】
【請求項１】
３２〜３８テラヘルツの周波数の共鳴電磁波を、２時間以上、２０℃以上の温度条件下で、シリカサンドと石灰石粉末と磁性細菌を含んだ土の乾燥粉末とアルミニューム粉末のすべてまたはいずれか２種類以上を混ぜた粉末に照射することで当該粉末自体を当該共鳴電磁波の転写放射体とすることを特徴とするセメント添加剤
【考案の詳細な説明】
【技術分野】
【０００１】  本考案は、３２〜３８テラヘルツの共鳴電磁波を放射することを特徴とするシリカサンドと石灰石粉末と磁性細菌を含んだ土の乾燥粉末とアルミニューム粉末のすべてまたはいずれか２種類以上を成分とするセメント添加剤に関するものである。セメント混練時に混練用の水にごく少量（１ｍ３の水に対して２００ｇ程度）混ぜてセメントと砂等の骨材と混練するだけで、当該添加剤が放射する共鳴電磁波で混練用水を活性化し混練時の流動性を高めるとともに、当該混練物質であるモルタルやコンクリートを、短時間で大きな強度を確保をするようにし、混練されたコンクリート自体が当該共鳴電磁波の転写放射体となるセメント添加剤に関するものである。
【背景技術】
【０００２】  近年、セメント混練物の機能を高めるために各種添加剤が開発されている。【０００３】  それらの添加剤の多くはセメントを砂等の骨材と混練する時の水分を少なくしても流動性が確保できることを目的とするものが多く、強度増には十分な効果を発揮しているとは言えず、また強度のばらつきも多く見られる。
【特許文献１】特開２０１５−１１０５０２
【特許文献２】特開２０１８−１３５２５０
【特許文献３】特開２０１２−２５４９３６
【考案の概要】
【考案が解決しようとする課題】
【０００４】  本考案では、温度や湿度といったいろいろな環境条件下でも、安定した混練時の流動性を高めるとともに圧縮強度を増したり、健康や還元効果が得られるセメント添加剤を提供することを目的としている。
【課題を解決するための手段】
【０００５】  このような課題を解決するために本考案者は、３２〜３８テラヘルツの共鳴電磁波を、シリカサンドや石灰石粉末や磁性細菌を含んだ土の乾燥粉末やアルミニューム粉末といった鉱物資源や金属材料やプラスチックやゴムや紙や天然繊維といったいろいろな材料に照射することで当該材料を当該電磁波の転写放射体とし、当該転写放射体から放射される共鳴電磁波を水に照射すると、当該水の水分子のクラスターの水素結合を分断したり、電子の散乱運動を円滑にすることができることに着目した。【０００６】  また、当該電磁波を転写したアルミテープを電線に巻きつけることで５０％を超える節電が計測されることや、ウクレレの共鳴箱に当該電磁波を転写することで音の伝搬がきわめて円滑になることが周波数分析装置で確認できたことで、当該共鳴電磁波による常温超伝導的な作用が認められたため、セメント添加材を当該共鳴電磁波の転写体とし、水と混練することで、混練物質であるモルタルやコンクリートの機能を高めることが確信できた。【０００７】  すなわち、３２〜３８テラヘルツの共鳴電磁波を、２時間以上、２０℃以上の温度条件下で、シリカサンドと石灰石粉末と磁性細菌土とアルミニューム粉末のすべてまたはいずれか２種類以上の混合物に照射することで、当該混合物自体を当該共鳴電磁波の転写放射体とする。【０００８】  当該混合物を共鳴電磁波の転写放射体とすることで、保存時の当該混合物自体の酸化劣化を防止することができる。【０００９】  また、当該混合物から放射される共鳴電磁波の周波数を３２〜３８テラヘルツと限定することで、周波数によって効果が明確にできないという問題点を解決できる。
【考案の効果】
【００１０】  本考案によれば、セメント混練時に、混練用水にごく少量（水１ｍ３に対して２００ｇ程）入れるだけで混練用水を３２〜３８テラヘルツの共鳴電磁波の転写放射体とし、かつ混練後のモルタルやコンクリート自体を当該電磁波の転写放射体とするシリカサンドと石灰石粉末と磁性細菌を含んだ土の乾燥粉末とアルミニューム粉末のすべてまたはいずれか２種類以上を成分とするセメント添加剤を提供できる。【００１１】  混練用水を活性化し当該電磁波の共鳴転写体とすることにより界面活性力が大きくなり混練時の流動性が増し、少ない水分量でも作業性が良くなる。【００１２】  混練用水が当該電磁波の共鳴転写体となることで、混練物質であるモルタルやコンクリートも当該電磁波の転写放射体になり、当該電磁波の作用により、当該モルタルやコンクリートの材料分子を構成する素粒子の振動方向を同一方向にすることで、当該モルタルやコンクリートを常温超伝導的な物質にし圧縮強度を高める。【００１３】  また、本考案によるセメント添加剤を使用したコンクリートやモルタルにより構造躯体を造った建物の中にいる人の健康状態が、唾液の酸化還元電位の値を計測することで、還元化し、改善されることが、容易に実証確認される。【００１４】  また、当該コンクリートで造られた建物の中の空気は、室内にいる人の体全体の皮膚細胞や血流の水分や各種成分の水素結合を共振励起し分断する。そして当該水素結合の分断から放出された電子や水素イオンが高速で血液中や細胞水中を移動し、他の原子や分子と衝突することにより次々とカスケード的に電子（マイナスイオン）が大量に放出され、当該血液や細胞水を低分子量化し、酸化還元電位を還元側にし、水分のＰＨ値をアルカリ側にし、当該血液や細胞水を活性化する。
【考案を実施するための形態】
【００１５】  以下、本考案の実施形態について図面を参照しながら詳細に説明する。
図１は、本考案のセメント添加剤の製造方法を示すイメージの断面図である。
図２は、本考案のセメント添加剤の作用を示すイメージの断面図である。
図３は、本考案のセメント添加剤を使用したコンクリートの断面図である。
【００１６】  図１に示すように、共鳴電磁波放射体１の上に、シリカサンドと石灰石粉末と磁性細菌を含んだ土の乾燥粉末とアルミニューム粉末のすべてまたはいずれか２種類以上を成分とするセメント添加剤用の素材２を密着させて置き当該放射体１から放射される３２〜３８テラヘルツの共鳴電磁波４を、当該セメント添加剤用の素材２に、２時間以上照射する。
【００１７】  当該共鳴電磁波放射体１の下には２０℃〜９０℃の温度調節が可能なヒーター３が設けられていて、３２〜３８テラヘルツの共鳴電磁波を、セメント添加剤用の素材２に効率良く照射できる。
【００１８】  図２に示すように、本考案のシリカサンドと石灰石粉末と磁性細菌を含んだ土の乾燥粉末とアルミニューム粉末のすべてまたはいずれか２種類以上を成分とするセメント添加剤１２を、セメント混練用の水１１に混ぜてセメント粒子１３や骨材粒子１４と一緒に混練容器１５にて混練する。
【００１９】  本考案のセメント添加剤１２は混練用水１１を活性化し、混練用水１１自体を、３２〜３８テラヘルツの共鳴電磁波１６の転写発振体とし、次にセメント粒子１３や骨材粒子１４といった混練物質を当該共鳴電磁波１６の転写放射体とする。
【００２０】  モルタルやコンクリートのような当該混練物質１７は、それ自体が３２〜３８テラヘルツの転写共鳴電磁波１８を放射する。
【００２１】  転写共鳴電磁波１８の共振作用により、固有振動数の一致する周囲の空気１９の水蒸気の水分子のクラスター２０の水素結合が切断され、水分子が単分子化され、水素イオン２１と電子２２を空気中に放出される。
【００２２】  空気中に放出された水素イオン２１や電子２２を含んだ空気１９を、体内に吸引すると、吸引した人の体を還元し、快活で元気にする。
【実施例】
【００２３】  本セメント添加剤を１ｍ３の混練水に２００ｇ程度のごく少量添加して普通セメントと骨材を混ぜて混練したコンクリートの圧縮強度が５８．６Ｎ／ｃｍ２と、通常の３倍程度になったことが２０１９年１２月１６日に行った千葉県建築材料強度試験所の試験で確認された。【００２４】  また、本セメント添加剤を添加したコンクリートで建てる建物に、健康や還元効果があることが唾液の酸化還元測定により実証された。
【産業上の利用可能な分野】
【００２５】  本考案は、モルタルやコンクリートの、混練物質の流動性を高め、混練作業の作業性を改善し強度を高めるばかりでなく、転写共鳴電磁波の還元効果を活用して健康的な建物や無臭型家畜小屋や鮮度保持効果のある食品倉庫や節電型建物等の付加価値の高い建築に利用できる。
【図面の簡単な説明】
【００２６】
【図１】は、本考案のセメント添加剤の製造方法を示すイメージの断面図である。
【図２】は、本考案のセメント添加剤の作用を示すイメージの断面図である。
【図３】は、本考案のセメント添加剤を使用したコンクリートの断面図である。
【符号の説明】
【００２７】１    共鳴電磁波放射体
２    セメント添加剤用の素材
３    ヒーター
４    共鳴電磁波
１１  混練用水
１２  セメント添加剤
１３  セメント粒子
１４  骨材粒子
１５  混練容器
１６  転写共鳴電磁波
２１  混練物質
２２  転写共鳴電磁波
２３  空気
２４  水分子クラスター
２５  水素イオン
２６  電子
【図１】
0003227374.tif 000003
【図２】
0003227374.tif 000004
【図３】
0003227374.tif 000005
【手続補正書】
【提出日】令和2年4月22日(2020.4.22)
【手続補正１】
【補正対象書類名】実用新案登録請求の範囲
【補正対象項目名】全文
【補正方法】変更
【補正の内容】
【実用新案登録請求の範囲】
【請求項１】
シリカサンドと石灰石と磁性細菌土の乾燥粉末とアルミニューム粉末を混ぜて入れた水溶性の紙袋に、３２〜３８テラヘルツの周波数の共鳴電磁波を、２時間以上、２０℃以上の温度条件下で照射し、シリカサンドと石灰石と磁性細菌土の乾燥粉末とアルミニューム粉末の入った水溶性紙袋自体を当該電磁波の転写放射体とし、コンクリート混練用水に投入し、コンクリート混練することができる水溶性紙袋入りのセメント添加剤。